(57)【要約】【課題】内容物を取り出す際にはキャップ本体を難なく開けることができ、携帯時には予期せぬ開封を防止することができる容器を提供する。【解決手段】容器１０は、口部２０を有する容器本体１２と、口部２０に取り付けられる支持リング２８および該支持リング２８にヒンジ３０を介して支持され口部２０を開閉可能に覆うキャップ本体３２を有するヒンジキャップ１４とを備える。容器１０は、口部２０の外面に形成された雄ネジ２６と、支持リング２８の内面に形成されるとともに雄ネジ２６と螺合し、ヒンジキャップ１４の、容器本体１２に対する正逆回動に伴いヒンジキャップ１４を昇降移動させる雌ネジ３６と、キャップ本体３２に形成され、ヒンジキャップ１４の下降位置では口部２０に係合してキャップ本体３２の開封を防止する一方、ヒンジキャップ１４の上昇位置では口部２０との係合から解放されてキャップ本体３２の開封を許容する係止部５０とを備える。【選択図】図４
2019172289.tif 000002
【特許請求の範囲】
【請求項１】
口部を有する容器本体と、前記口部に取り付けられる支持リングおよび該支持リングにヒンジを介して支持され前記口部を開閉可能に覆うキャップ本体を有するヒンジキャップと、を備える容器であって、
前記口部の外面に形成された雄ネジと、
前記支持リングの内面に形成されるとともに前記雄ネジと螺合し、前記ヒンジキャップの、前記容器本体に対する正逆回動に伴い前記ヒンジキャップを昇降移動させる雌ネジと、
前記キャップ本体に形成され、前記ヒンジキャップの下降位置では前記口部に係合して前記キャップ本体の開封を防止する一方、前記ヒンジキャップの上昇位置では前記口部との係合から解放されて前記キャップ本体の開封を許容する係止部とを備えることを特徴とする容器。
【請求項２】
前記係止部は、前記雌ネジの延長線上に形成され前記ヒンジキャップの下降位置にて前記雄ネジに螺合するリブである、請求項１に記載の容器。
【請求項３】
前記キャップ本体は、容器軸線に沿って垂下するとともに前記口部に嵌合し前記ヒンジキャップの昇降移動を案内するシール筒を有する、請求項１または２に記載の容器。
【請求項４】
前記支持リングの前記雌ネジの下方に、前記ヒンジキャップの上昇方向で前記容器本体の外面に係合する抜け防止リブを有する、請求項１から３までのいずれか一項に記載の容器。
【請求項５】
前記キャップ本体と前記支持リングとは破断可能なブリッジを介して連結されている、請求項１から４までのいずれか一項に記載の容器。
【発明の詳細な説明】
【技術分野】
【０００１】
本発明は、容器内に指等を直接入れて内容物を取り出すことができるよう口部を広く形成したジャータイプの容器に関する。
【背景技術】
【０００２】
この種の容器として、特許文献１には、容器の口部の外周面に亘って取り付けられた支持リングと、支持リングにヒンジを介して連結されて容器の口部を開閉可能に覆うキャップ本体と、支持リングとキャップ本体との間に分離可能に位置して支持リングとキャップ本体とを連結する開封バンドとが一体に射出成形された合成樹脂製のヒンジキャップを備えるものが開示されている。
【０００３】
この開封バンドは、ヒンジキャップを用いた容器が陳列販売されているとき、未開封であるか、あるいは開封済みであるかが容器の外観から簡単に目視にて判断でき、キャップ本体を引き起こすいたずらを未然に防止するバージンリングとしての機能を有するものである。
【０００４】
そして、初回開封時には、開封バンドを一端から捲り起こしヒンジキャップ周方向に沿って切り取ることで、支持リングとキャップ本体とがヒンジで連結された領域を除き分離され、キャップ本体の引き起こしが可能になる。
【先行技術文献】
【特許文献】
【０００５】
【特許文献１】特開２００９−２８６４５９号公報
【発明の概要】
【発明が解決しようとする課題】
【０００６】
ところで、上記従来の容器では、キャップ本体および容器口部の各々に形成したリブを嵌合させることで、初回開封後に再びキャップ本体を閉めた際にその閉蓋状態を維持する構造としているが、携帯時に振動や周囲の物への引っ掛かり等によりキャップ本体が開き中身が流出してしまう懸念がある。これを防止するためには、キャップ本体および容器口部の各々に形成したリブの嵌合力を高めればよいが、リブを強度に嵌合させると内容物を取り出す際にキャップ本体が開け難くなるという問題がある。
【０００７】
本発明の目的は、内容物を取り出す際にはキャップ本体を難なく開けることができ、携帯時には予期せぬ開封を防止することができる容器を提供することにある。
【課題を解決するための手段】
【０００８】
本発明の容器は、口部を有する容器本体と、前記口部に取り付けられる支持リングおよび該支持リングにヒンジを介して支持され前記口部を開閉可能に覆うキャップ本体を有するヒンジキャップと、を備え、上記課題を解決するため、前記口部の外面に形成された雄ネジと、前記支持リングの内面に形成されるとともに前記雄ネジと螺合し、前記ヒンジキャップの、前記容器本体に対する正逆回動に伴い前記ヒンジキャップを昇降移動させる雌ネジと、前記キャップ本体に形成され、前記ヒンジキャップの下降位置では前記口部に係合して前記キャップ本体の開封を防止する一方、前記ヒンジキャップの上昇位置では前記口部との係合から解放されて前記キャップ本体の開封を許容する係止部とを備える。
【０００９】
なお、本発明の容器にあっては、前記係止部は、前記雌ネジの延長線上に形成され前記ヒンジキャップの下降位置にて前記雄ネジに螺合するリブであることが好ましい。
【００１０】
また、本発明の容器にあっては、前記キャップ本体は、容器軸線に沿って垂下するとともに前記口部に嵌合し前記ヒンジキャップの昇降移動を案内するシール筒を有することが好ましい。
【００１１】
さらに、本発明の容器にあっては、前記支持リングの前記雌ネジの下方に、前記ヒンジキャップの上昇方向で前記容器本体の外面に係合する抜け防止リブを有することが好ましい。
【００１２】
さらに、本発明の容器にあっては、前記キャップ本体と前記支持リングとは破断可能なブリッジを介して連結されていることが好ましい。
【発明の効果】
【００１３】
本発明の容器は、初回開封前の状態ではヒンジキャップが容器本体の口部に対して閉方向に締めこまれ下降位置にある。この状態では、キャップ本体に形成された係止部が容器本体の口部外面と係合することにより、キャップ本体の開封が防止されている。容器を開封する場合には、ヒンジキャップを容器本体に対して開方向に回動させる。これにより、ヒンジキャップが容器本体の口部に対して上昇移動し、係止部は口部外面との係合から解放され、ヒンジを基点としたキャップ本体の引き起こしが可能になる。
【００１４】
容器を再び閉める場合には、ヒンジを基点にキャップ本体を閉めた後にヒンジキャップを容器本体に対して締め込む（閉方向に回動する）操作を行うことで、キャップ本体の係止部が容器本体の口部の外面に再び係合してキャップ本体の開封は規制される。
【００１５】
したがって、本発明の容器によれば、内容物を取り出す際にはヒンジキャップを開方向へ回動させ、キャップ本体の係止部を容器本体の口部外面との係合から解放することでキャップ本体を難なく開けることができ、携帯時にはヒンジキャップを締め込むことにより係止部を容器本体の口部に再び係合させることで予期せぬ開封を防止することができる。
【００１６】
なお、本発明の容器において、前記係止部を、前記雌ネジの延長線上に形成され前記ヒンジキャップの下降位置にて前記雄ネジに螺合するリブで構成した場合には、係止部と雄ネジとの係合およびその解除をスムーズに行うことが可能になる。
【００１７】
また、本発明の容器において、前記キャップ本体に、容器軸線に沿って垂下するとともに前記口部に嵌合し前記ヒンジキャップの昇降移動を案内するシール筒を設けた場合には、ヒンジキャップの正逆回動時にヒンジキャップをスムーズに昇降移動させることができる。
【００１８】
さらに、本発明の容器において、前記支持リングの前記雌ネジの下方に、前記ヒンジキャップの上昇方向で前記容器本体の外面に係合する抜け防止リブを設けた場合には、ヒンジキャップを開方向へ回動させた際のヒンジキャップの上抜けを防止することができる。
【００１９】
さらに、本発明の容器において、前記キャップ本体と前記支持リングとを破断可能なブリッジを介して連結した場合には、未開封であることを容器の外観から簡単に目視にて判断できる。また、従来の容器のように初回開封に際してバージンリングをむしる必要がないため、開封時の煩わしさがなく、不要なゴミの発生もない。
【図面の簡単な説明】
【００２０】
【図１】本発明の一実施形態の容器の側面図である。
【図２】図１の容器のヒンジ側を示す背面図である。
【図３】図１の容器の平面図である。
【図４】図１の容器を一部断面で示す側面図である。
【図５】ヒンジキャップの断面図である。
【図６】図４の状態からヒンジキャップを開方向に１８０度回動させ、ヒンジキャップを上昇移動させることで係止部と雄ネジとの係合を解除した状態を示す図である。
【図７】図６の状態からキャップ本体を引き起こした状態を示す図である。
【発明を実施するための形態】
【００２１】
以下、本発明の実施の形態を図面に基づき詳細に説明する。ここで図１は、本発明の一実施形態の容器の側面図であり、図２は、該容器のヒンジ側を示す背面図であり、図３は、図１の容器の平面図であり、図４は図１の容器を一部断面で示す側面図であり、図５は、ヒンジキャップの断面図である。
【００２２】
図１〜図４に示すように、本実施形態の容器１０は、各々合成樹脂からなる容器本体１２とヒンジキャップ１４とを備える。容器本体１２は、筒状の胴部１６と、該胴部１６の下端を閉塞する底部１８と、胴部１６から上方に延出しその外周面にヒンジキャップ１４が被せ付けられる口部２０とを有する。この容器１０は、容器本体１２内に指等を直接入れて内容物を取り出すことができるよう口部２０を広く形成したジャータイプの容器１０である。内容物として、錠剤や軟膏などの薬剤、美容クリームなどの化粧料、ガムや飴玉などの粒菓子を例示するが、内容物に特に限定はない。この容器１０は、ヒンジキャップ１４を閉方向（図３中「ＣＬＯＳＥ」で示す方向）に回動するとヒンジキャップ１４の開封が防止され、反対にヒンジキャップ１４を開方向（図３中「ＯＰＥＮ」で示す方向）に回動するとヒンジキャップ１４の開封が可能となるロック機能を備えるものである。胴部１６の外面にはヒンジキャップ１４を開方向に回動させる際の回動量の目安として、例えば後述の指掛け部４６との位置合わせ用のマーク２２を形成してもよい。位置合わせ用マーク２２としては、図示例のような隆起部または凹陥部を形成するほか、ラベルを貼付してもよい。
【００２３】
図４に示すように、ヒンジキャップ１４が取り付けられる口部２０は、胴部１６の上端から段部２０ａを経て胴部１６よりも僅かに小さい径で上方に延出した下側筒部２０ｂと、下側筒部２０ｂから段部２０ｃを経て下側筒部２０ｂよりも僅かに小さい径で上方に延出した上側筒部２０ｄと、上側筒部２０ｄの上端から上方に延出し口部２０の上端開口を僅かに狭める断面略Ｃ字状の弾性リップ部２０ｅとを有する。弾性リップ部２０ｅは、ヒンジキャップ１４を締め込んだ際に後述するキャップ本体３２の頂壁３２ａ下面に当接する高さまで形成してもよく、これによれば弾性リップ部２０ｅの上端と頂壁３２ａとの間でも密封性を高めることができる。また、頂壁３２ａが弾性リップ部２０ｅに当接する位置をヒンジキャップ１４の下降限（締め込み位置）としてもよい。また、弾性リップ部２０ｅは上端が径方向外側に広げられた形状を有することにより、後述するシール筒５２が挿入される際の挿入案内部としても機能する。
【００２４】
下側筒部２０ｂと段部２０ｃとの間の口部外面には口部周方向に沿って延びる環状リブ２４が形成されている。環状リブ２４に代えて間欠リブまたは凸部を形成してもよい。上側筒部２０ｄの外面には雄ネジ２６が形成されている。
【００２５】
ヒンジキャップ１４は、図４および図５に示すように、容器本体１２の口部２０に取り付けられる支持リング２８と該支持リング２８にヒンジ３０を介して支持され容器本体１２の口部２０を開閉可能に覆うキャップ本体３２とを有する。支持リング２８とキャップ本体３２とは、初回開封時のキャップ本体３２の引き起こし動作で破断されるブリッジ３４（図５参照）を介して連結されている。ヒンジキャップ１４は、図示例では、支持リング２８とキャップ本体３２が射出成形等により一体的に成形された一体成形品であるが、支持リング２８とキャップ本体３２とを別々に成形しヒンジ３０を用いて相互連結したものでもよい。
【００２６】
支持リング２８は、口部２０の下側筒部２０ｂを取り囲むように配置される下側リング部２８ａと、下側リング部２８ａから段部２８ｂを経て下側リング部２８ａよりも僅かに小さい径で上方に延出した上側リング部２８ｃとを有する。上側リング部２８ｃは口部２０の上側筒部２０ｄを取り囲むように配置され、その内面には雌ネジ３６が形成されている。雌ネジ３６は、口部２０の上側筒部２０ｄに形成された雄ネジ２６と螺合し容器本体１２に対するヒンジキャップ１４の正逆回転（図３参照）に伴いヒンジキャップ１４を昇降移動させるものである。上側リング部２８ｃの外面にはヒンジキャップ１４を回動させる際に指を掛けることができる複数の指掛けリブ４０が形成されている（図１および図２参照）。
【００２７】
図４および図５に示すように、下側リング部２８ａの内周面下端部には、ヒンジキャップ１４の上昇方向で容器本体１２の口部２０の外面に形成された環状リブ２４に係合（当接）し、ヒンジキャップ１４の上方への抜けを防止する抜け防止リブ４４が形成されている。抜け防止リブ４４は、図示例のように周方向に連続して延びる環状リブに限らず、周方向に間隔をおいて配置された複数の間欠リブまたは突起でもよい。
【００２８】
キャップ本体３２は、容器本体１２の口部２０を上方から覆う頂壁３２ａと該頂壁３２ａの外縁から垂下する周壁３２ｂとを有する。周壁３２ｂの前方側、すなわちヒンジ３０側とは反対側にはキャップ本体３２を引き起こす際に指等を掛けることができる指掛け部４６が形成されている。また、周壁３２ｂの外面にも、上側リング部２８ｃと同様に複数の指掛けリブ４８が形成されている（図１および図２参照）。
【００２９】
図４および図５に示すように、周壁３２ｂの内面には、ヒンジキャップ１４を「ＣＬＯＳＥ」方向（図３参照）へ回動し下降させた状態では口部２０の外面に係合してキャップ本体３２の引き起こしを防止する一方、ヒンジキャップ１４を「ＯＰＥＮ」方向（図３参照）へ所定角度（例えば１８０度）だけ回動し上昇させた状態では口部２０との係合から解放されてキャップ本体３２の引き起こしを許容する係止部５０が形成されている。図示例では、係止部５０は、支持リング２８の上側リング部２８ｃに形成された雌ネジ３６の延長線上に形成されてヒンジキャップ１４の下降位置にて口部２０の外面に形成された雄ネジ２６と螺合するリブで構成される。しかし、係止部５０は、ヒンジキャップ１４を下降させた際に、口部２０に雄ネジ２６とは別に設けた環状突起（アンダーカット）を乗り越え、その後は該環状突起に下方から係合する凸部で構成してもよく、あるいは、上側リング部２８ｃの雌ネジ３６の延長線上に形成され、口部２０の雄ネジ２６と螺合する複数の間欠リブで構成してもよい。係止部５０を凸部で構成する場合には、凸部と係合する上記環状突起を雄ネジ２６に対して軸方向上側に離間した位置に配置するとともに、凸部を上側リング部２８ｃに形成した雌ネジ３６に対して軸方向上側に離間した位置に配置するのがよい。
【００３０】
また、キャップ本体３２には、周壁３２ｂの内側で頂壁３２ａから垂下し容器本体１２の口部２０上端の弾性リップ部２０ｅに嵌合するシール筒５２が形成されている。図４に示すようにシール筒５２は、ヒンジ３０側領域の下垂長さ寸法Ｌ１が他の領域の下垂長さ寸法Ｌ２に比べて大きくなるよう形成されている。シール筒５２の指掛け部４６側（ヒンジ３０側と反対側）領域の下垂長さ寸法Ｌ２は、ヒンジキャップ１４の下降位置においてキャップ本体３２が引き起こされそうになった場合に口部２０の弾性リップ部２０ｅに引っ掛かってキャップ本体３２のそれ以上の引き起こしを阻止する一方、ヒンジキャップ１４の上昇位置ではキャップ本体３２の引き起こし時に弾性リップ部２０ｅ（口部２０）からの抜き出しが可能となる長さとするのが好ましい。
【００３１】
次いで、上記構成を備える容器１０の使用態様について説明する。図４に示した初回開封前の状態では、ヒンジキャップ１４は容器本体１２の口部２０に対して閉方向に締めこまれ下死点に位置している。この状態では、キャップ本体３２の周壁３２ｂに形成された係止部５０が容器本体１２の口部２０に形成された雄ネジ２６と係合（螺合）することにより、キャップ本体３２の開封が防止されている。また、キャップ本体３２と支持リング２８とがブリッジ３４で連結されているので、未開封であることを容器１０の外観から簡単に目視にて判断できる。容器１０を開封する場合には、図６に示すように、ヒンジキャップ１４を、指掛け部４６が容器本体１２の胴部１６に設けられた位置合わせ用マーク２２に合うまで開方向に回動させる。これにより、図中矢印で示すようにヒンジキャップ１４が容器本体１２の口部２０に対して上昇移動し、係止部５０は雄ネジ２６との係合（螺合）から解放されるとともに、抜け防止リブ４４が環状リブ２４と係合してヒンジキャップ１４のそれ以上の上昇移動は規制される。また、キャップ本体３２の頂壁３２ａから垂下したシール筒５２が容器本体１２の口部２０から離脱可能となる。そして、図７に示すように、ヒンジ３０を基点にキャップ本体３２を引き起こすとキャップ本体３２と支持リング２８とを連結していたブリッジ３４が破断し容器１０が開封される。
【００３２】
容器１０を再び閉める場合には、ヒンジ３０を基点にキャップ本体３２を閉めシール筒５２を口部２０に嵌合させる。このとき、まず、シール筒５２のヒンジ側領域が口部２０内に挿入され、ヒンジ３０を基点としたキャップ本体３２の回動をガイドする。日常での使用時（容器１０を持ち歩かない場合）にはヒンジキャップ１４を締め込まずにキャップ本体３２を閉めてシール筒５２を口部２０に嵌合させただけの状態で保管してもよい。容器１０を携帯する場合には、キャップ本体３２を閉めた後にヒンジキャップ１４を締め込む操作を行う。これにより、キャップ本体３２の係止部５０が容器本体１２の口部２０に形成された雄ネジ２６に係合（螺合）するため、キャップ本体３２の誤開封は防止される。
【００３３】
このように、本実施形態の容器１０によれば、内容物を取り出す際にはキャップ本体３２を開方向へ回動させ、キャップ本体３２の係止部５０を容器本体１２の口部２０に形成された雄ネジ２６との係合から解放することでキャップ本体３２を難なく開けることができ、携帯時にはヒンジキャップ１４を締め込んで係止部５０を雄ネジ２６に係合させることで予期せぬ開封を防止することができる。また、従来の容器のように初回開封に際してバージンリングをむしる必要がないため、開封時の煩わしさがなく、不要なゴミの発生もない。さらに、日常での使用時にシール筒５２を容器本体１２の口部２０に挿入するだけでヒンジキャップ１４を締め込まずに保管する場合には、次回の開封がさらに容易となる。
【００３４】
また、本実施形態の容器１０によれば、キャップ本体３２に、容器軸線に沿って垂下するとともに容器本体１２の口部２０に嵌合しヒンジキャップ１４の回動に伴う昇降移動を案内するシール筒５２を設けたので、ヒンジキャップ１４の正逆回動時にヒンジキャップ１４をスムーズに昇降移動させることができる。
【００３５】
さらに、本実施形態の容器１０によれば、ヒンジキャップ１４が下降位置にある状態において係止部５０と雄ネジ２６との係合が無理に解除されキャップ本体３２が引き起こされた場合でも、シール筒５２の、指掛け部４６側領域が容器本体１２の口部２０に引っ掛かってそれ以上の引き起こしが防止される。したがって、携帯時等の誤開封を二重に防止することができる。
【００３６】
さらに、本実施形態の容器１０によれば、支持リング２８の雌ネジ３６の下方に、ヒンジキャップ１４の上昇方向で容器本体１２の外面に係合する抜け防止リブ４４を設けたので、ヒンジキャップ１４を開方向へ回動させた際のヒンジキャップ１４の上抜けを防止することができる。
【００３７】
以上、図示例に基づき本発明を説明したが、本発明は上述の実施形態に限定されず、種々の変更、追加、修正が可能であり、例えば、キャップ本体３２と支持リング２８とをブリッジ３４で破断可能に連結するのに代えて、一端から捲り起こしヒンジキャップ１４の周方向に沿って切り取り可能なバージンリングによってキャップ本体３２と支持リング２８とを連結するようにしてもよい。
【産業上の利用可能性】
【００３８】
本発明により、内容物を取り出す際にはキャップ本体を難なく開けることができ、携帯時には予期せぬ開封を防止することができる容器を提供することが可能になった。
【符号の説明】
【００３９】
１０  容器
１２  容器本体
１４  ヒンジキャップ
１６  胴部
１８  底部
２０  口部
２０ａ，２０ｃ  段部
２０ｂ  下側筒部
２０ｄ  上側筒部
２０ｅ  弾性リップ部
２２  位置合わせ用マーク
２４  環状リブ
２６  雄ネジ
２８  支持リング
２８ａ  下側リング部
２８ｂ  段部
２８ｃ  上側リング部
３０  ヒンジ
３２  キャップ本体
３２ａ  頂壁
３２ｂ  周壁
３４  ブリッジ
３６  雌ネジ
４０  指掛けリブ
４４  抜け防止リブ
４６  指掛け部
４８  指掛けリブ
５０  係止部
５２  シール筒
【図１】
2019172289.tif 000003
【図２】
2019172289.tif 000004
【図３】
2019172289.tif 000005
【図４】
2019172289.tif 000006
【図５】
2019172289.tif 000007
【図６】
2019172289.tif 000008
【図７】
2019172289.tif 000009